(57)【要約】【課題】大掛かりで特殊な製造設備を必要とせず、高い圧縮強度を有す高強度セメントモルタル組成物を提供することを目的とする。【解決手段】セメントと、シリカフュームと、水と、細骨材と、減水剤と、消泡剤と、金属微粉末とを含む高強度セメントモルタル組成物であって、セメントは、Ｃ３Ｓを１０．０質量％〜４０．０質量％及びＣ２Ｓを４０．０質量％〜７０．０質量％含有し、細骨材は、フェロニッケルスラグを含む高強度セメントモルタル組成物である。また、前記高強度セメントモルタル組成物を、１５〜２５℃の気中で１日間〜５日間養生を行う前養生工程と、２０〜６０℃の水中で１日間〜７日間養生を行う一次養生工程と、８０℃〜１００℃の水中で５日間〜２１日間養生を行う二次養生工程と、８０℃〜２００℃の気中で５〜２１日間養生を行う三次養生工程を含む、高強度セメントモルタル硬化体の製造方法である。【選択図】  なし【特許請求の範囲】
【請求項１】
セメントと、シリカフュームと、水と、細骨材と、減水剤と、消泡剤と、金属微粉末とを含む高強度セメントモルタル組成物であって、
前記セメントは、Ｃ３Ｓを１０．０質量％〜４０．０質量％及びＣ２Ｓを４０．０質量％〜７０．０質量％含有し、
前記細骨材は、フェロニッケルスラグを含むことを特徴とする高強度セメントモルタル組成物。
【請求項２】
前記金属微粉末は、カットスチールウールである、請求項１に記載の高強度セメントモルタル組成物。
【請求項３】
前記金属微粉末は、直径が５μｍ〜５００μｍ及び長さが５μｍ〜５．０ｍｍであり、前記高強度セメントモルタル組成物に対して１．０体積％〜５．０体積％含む、請求項１又は２に記載の高強度セメントモルタル組成物。
【請求項４】
前記フェロニッケルスラグのモース硬さが７．０〜８．５、絶乾密度が２．７〜４．０ｇ／ｃｍ３である、請求項１に記載の高強度モルタル組成物。
【請求項５】
前記シリカフュームの平均粒子径が０．０５μｍ〜２．０μｍである、請求項１〜４の何れか１項に記載の高強度セメントモルタル組成物。
【請求項６】
前記セメントと前記シリカフュームの合計量１００質量％中に、前記シリカヒュームを５質量％〜３５質量％含む、請求項１〜５の何れか１項に記載の高強度セメントモルタル組成物。
【請求項７】
前記セメントと前記シリカフュームの合計量１００質量部に対して、水を９質量部〜２０質量部及び減水剤を１．０質量部〜６．０質量部含む、請求項１〜６の何れか１項に記載の高強度セメントモルタル組成物。
【請求項８】
請求項１〜７の何れか１項に記載の高強度セメントモルタル組成物を、１５〜２５℃の気中で１日間〜５日間養生を行う前養生工程と、２０〜６０℃の水中で１日間〜７日間養生を行う一次養生工程と、８０℃〜２００℃の水中または気中で５日間〜２１日間養生を行う二次養生工程とを含む、高強度セメントモルタル硬化体の製造方法。
【請求項９】
請求項１〜７の何れか１項に記載の高強度セメントモルタル組成物を、１５〜２５℃の気中で１日間〜５日間養生を行う前養生工程と、２０〜６０℃の水中で１日間〜７日間養生を行う一次養生工程と、８０℃〜１００℃の水中で５日間〜２１日間養生を行う二次養生工程と、８０℃〜２００℃の気中で５日間〜２１日間養生を行う三次養生工程とを含む、高強度セメントモルタル硬化体の製造方法。
【発明の詳細な説明】
【技術分野】
【０００１】
本発明は、高強度セメントモルタル組成物及び高強度セメントモルタル硬化体の製造方法に関する。
【背景技術】
【０００２】
近年、構造部材の軽量化、鉄筋使用量の削減などの要求に伴い、２００Ｎ／ｍｍ２程度の圧縮強度が得られるような超高強度材料が提案されている。これらの材料では、セメント、ポゾラン質微粉末、骨材及び高性能減水剤が使用されており、熱養生によって超高強度化が図られている。また、これらに金属繊維や有機繊維を添加することによって、高いじん性やひび割れ抑制機能を付与することが提案されている（特許文献１〜３参照）。
例えば、上記の材料よりもさらに圧縮強度の高い材料が得られれば、柱部材の受け持つ荷重をさらに増大することができるため、構造物における柱の数を減らすことができ、その結果、構造物の居住空間をさらに広げられるとともに、設計や意匠性の自由度がさらに高まることが考えられる。
【０００３】
セメント組成物の高強度化を図る場合、その水／結合材比をより小さくする方法が一般的に執られるが、結合材の化学反応をより促進するために、蒸気養生などの加熱養生がとられることがある。また、更なる高強度化のため、セメントモルタル中の空隙を極力小さくする目的で、遠心成型や加圧成型が行われることもある。また、これらの方法を組み合わせた、オートクレーブ養生やヒートプレス養生をすることで、さらに高い圧縮強度が得られることが分かっている。
【先行技術文献】
【特許文献】
【０００４】
【特許文献１】特開２００１−１８１００４号公報
【特許文献２】特開２００６−２９８６７９号公報
【特許文献３】特開２００７−１２６３１７号公報
【発明の概要】
【発明が解決しようとする課題】
【０００５】
しかしながら、これらの製造方法は、大掛かりな設備が必要であるため、容易に実施できるものではない。
そこで、本発明は、従来の技術にくらべて、大掛かりかつ特殊な製造設備を必要とせず、より高強度である高強度セメントモルタル組成物及び高強度セメントモルタル硬化体の製造方法を提供することを目的とする。
【課題を解決するための手段】
【０００６】
本発明者らは、上記課題を解決すべく鋭意検討した結果、セメントと、シリカフュームと、フェロニッケルスラグを含む細骨材と、減水剤及び消泡剤と組み合わせ、さらに、微小な金属粉末をモルタルに混入することによって、高強度化が実現できることを見出し、本発明に至った。
【０００７】
すなわち、本発明は、セメントと、シリカフュームと、水と、細骨材と、減水剤と、消泡剤と、金属微粉末とを含む高強度セメントモルタル組成物であって、セメントは、Ｃ３Ｓを１０．０質量％〜４０．０質量％及びＣ２Ｓを４０．０質量％〜７０．０質量％含有し、細骨材は、フェロニッケルスラグを含む高強度セメントモルタル組成物を提供する。
このような高強度セメントモルタル組成物は、従来にない、非常に高い圧縮強度を発現することができる。
また、本発明は前記高強度セメントモルタル組成物を、１５〜２５℃の気中で１日間〜５日間養生を行う前養生工程と、２０〜６０℃の水中で１日間〜７日間養生を行う一次養生工程と、８０℃〜１００℃の水中で５日間〜２１日間養生を行う二次養生工程と、８０℃〜２００℃の気中で５〜２１日間養生を行う三次養生工程を含む、高強度セメントモルタル硬化体の製造方法を提供する。このような高強度セメントモルタル組成物の製造方法によれば、従来にない、非常に高い圧縮強度を有す高強度セメントモルタル組成物を製造することができる。
【発明の効果】
【０００８】
本発明によれば、特殊な養生方法をとらなくとも、高い圧縮強度を持つ高強度セメントモルタル組成物を提供することができる。
【発明を実施するための形態】
【０００９】
以下、本発明に係る高強度セメントモルタル組成物及びモルタル組成物の好適な実施形態について説明するが、本発明は以下の実施形態に限定されるものではない。
【００１０】
（高強度セメントモルタル組成物）
本実施形態の高強度セメントモルタル組成物は、セメントと、シリカフュームと、水と、フェロニッケルスラグを含む細骨材と、減水剤と、消泡剤と、金属微粉末とを含むものである。
【００１１】
セメントの鉱物組成は、Ｃ３Ｓ量が１０．０〜４０．０質量％、Ｃ２Ｓ量が４０．０〜７０．０質量％、Ｃ３Ａ量が５．０質量％以下、Ｃ４ＡＦ量が５．０〜１５．０質量％である。Ｃ３Ｓ量は、好ましくは１５．０〜３５．０質量％、より好ましくは１８．０〜３２．０質量％であり、更に好ましくは２０．０〜３０．０質量％である。Ｃ３Ｓ量が１０．０質量％未満では圧縮強度が低くなる傾向があり、４０．０質量％を超えると加熱養生後の圧縮強度が低くなる傾向がある。Ｃ２Ｓ量は、好ましくは４０．０〜６５．０質量％、より好ましくは４３．０〜６２．０質量％であり、更に好ましくは４５．０〜６０．０質量％である。Ｃ２Ｓ量が４０．０質量％未満では、特に加熱養生後の圧縮強度が低くなる傾向がある。Ｃ３Ａ量は好ましくは５．０質量％以下であり、より好ましくは４．５質量％以下であり、更に好ましくは４．０質量％以下である。Ｃ３Ａ量が５．０％を超えると、十分な流動性が得られなくなる。Ｃ４ＡＦ量は、好ましくは１１．０質量％、より好ましくは１０．７質量％であり、更に好ましくは１０．５質量％である。以上の範囲であれば、高い圧縮強度及び高い流動性を十分に確保出来る。
【００１２】
セメントのブレーン比表面積は、好ましくは２５００〜４８００ｃｍ２／ｇ、より好ましくは２８００〜４５００ｃｍ２／ｇ、更に好ましくは３０００〜４２００ｃｍ２／ｇであり、特に好ましくは３２００〜３９００ｃｍ２／ｇである。セメントのブレーン比表面積が２５００ｃｍ２／ｇ未満では高強度セメントモルタル組成物の強度が低くなる傾向があり、４８００ｃｍ２／ｇを超えると低水セメント比での流動性が低下する傾向にある。
【００１３】
本実施形態に係るセメントの製造にあたっては、通常のセメントと特に異なる操作を行う必要はない。上記セメントは、石灰石、珪石、スラグ、石炭灰、建設発生土、高炉ダスト等の原料の調合を目標とする鉱物組成に応じて変え、実機キルンで焼成した後、得られたクリンカーに石膏を加えて所定の粒度に粉砕することによって製造することができる。焼成するキルンには、一般的なＮＳＰキルンやＳＰキルン等を使用することができ、粉砕には一般的なボールミル等の粉砕機が使用可能である。また、必要に応じて、２種以上のセメントを混合することもできる。
【００１４】
シリカフュームは、金属シリコン、フェロシリコン、電融ジルコニア等を製造する際に発生する排ガス中のダストを集塵して得られる副産物であり、主成分は、アルカリ溶液中で溶解する非晶質のＳｉＯ２である。シリカフュームの平均粒子径は、好ましくは０．０５〜２．０μｍ、より好ましくは０．１０〜１．５μｍ、更に好ましくは０．１８〜０．２８μｍ、特に好ましくは０．２０〜０．２８μｍである。このようなシリカフュームを用いることで、高強度セメントモルタル組成物の高い圧縮強度及び高い流動性を確保しやすくなる。
【００１５】
本実施形態の高強度セメントモルタル組成物において、セメント及びシリカフュームの合計量を基準として、シリカフュームを、好ましくは５〜３５質量％、より好ましくは７〜３０質量％、更に好ましくは８〜２７質量％、特に好ましくは９〜２３質量％含む。以上の範囲であれば、高い圧縮強度及び高い流動性を十分に確保出来る。
【００１６】
細骨材は、フェロニッケルスラグを使用する。フェロニッケルスラグを使用することにより、モルタル組成物の圧縮強度が向上する。フェロニッケルスラグは，モース硬さが７．０〜８．５、好ましくは７．２〜８．０、より好ましくは７．３〜７．９、さらに好ましくは７．４〜７．８、絶乾密度が２．７〜４．０ｇ／ｃｍ３、好ましくは２．７〜３．８ｇ／ｃｍ３、より好ましくは２．８〜３．５ｇ／ｃｍ３、さらに好ましくは２．９〜３．３ｇ／ｃｍ３であると、より一層強度が大きくなる。また、適時、他の種類の細骨材と組み合わせて使用しても良い。具体的には、川砂、陸砂、海砂、砕砂、珪砂、石灰石骨材、高炉スラグ細骨材銅スラグ細骨材、電気炉酸化スラグ細骨材等を使用することができる。
【００１７】
減水剤としては、リグニン系、ナフタレンスルホン酸系、アミノスルホン酸系、ポリカルボン酸系の減水剤、高性能減水剤、高性能ＡＥ減水剤等を使用することができる。低水セメント比での流動性確保の観点から、減水剤として、ポリカルボン酸系の減水剤、高性能減水剤又は高性能ＡＥ減水剤を用いることが好ましく、ポリカルボン酸系の高性能減水剤を用いることがより好ましい。本実施形態に係る高強度セメントモルタル組成物は、セメントとシリカフュームの合量１００質量部に対して、減水剤を好ましくは１．０〜６．０質量部、より好ましくは１．５〜５．０質量部、更に好ましくは１．８〜４．５質量部、特に好ましくは２．２〜４．０質量部含む。以上の範囲であれば、高い圧縮強度及び高い流動性を十分に確保出来る。
【００１８】
また、セメントとシリカフュームの合量１００質量部に対して、水を好ましくは９〜２０質量部、より好ましくは９．５〜１８質量部、更に好ましくは１０．０〜１６質量部、特に好ましくは１０．５〜１４．０質量部含む。以上の範囲であれば、高い圧縮強度及び高い流動性を十分に確保出来る。
【００１９】
消泡剤としては、特殊非イオン配合型界面活性剤、ポリアルキレン誘導体、疎水性シリカ、ポリエーテル系等が挙げられる。この場合、セメントとシリカフュームの合量１００質量部に対して、消泡剤を好ましくは０．０１〜２．０質量部、より好ましくは０．１〜１．０質量部、更に好ましくは０．２〜０．５質量部含む。以上の範囲であれば、高い圧縮強度及び高い流動性を十分に確保出来る。
【００２０】
金属微粉末は、カットスチールウール及び／又は鉄粉等を使用することができる。カットスチールウールとはスチールウールを短く切断したものを意味する。またスチールウールとは鉄の非常に細い線を綿状に固めた物で、研磨用のたわしとして使用されることがある。
金属微粉末の形状は、直径が好ましくは５μｍ〜５００μｍ、より好ましくは１０μｍ〜４２０μｍ、更に好ましくは１５μｍ〜４００μｍ、特に好ましくは２０μｍ〜３８０μｍである。長さは好ましくは５μｍ〜５．０ｍｍ、より好ましくは２０μｍ〜４．０ｍｍ、更に好ましくは３０μｍ〜３．８ｍｍ、特に好ましくは５０μｍ〜３．５ｍｍである。以上の範囲であれば、高い圧縮強度及び高い流動性を十分に確保出来る。
【００２１】
（高強度セメントモルタル硬化体の製造方法）
本実施形態の高強度セメントモルタル硬化体の製造方法は、上記高強度セメントモルタル組成物を、１５〜２５℃の気中で１日間〜５日間養生を行う前養生工程と、２０〜６０℃の水中で１日間〜７日間養生を行う一次養生工程と、８０℃〜２００℃の水中または気中で５日間〜２１日間養生を行う二次養生工程とを含む。
一次養生工程は、好ましくは２３〜５５℃、より好ましくは２５〜５０℃、更に好ましくは２８〜４８℃、特に好ましくは３０〜４５℃の水中で、好ましくは１〜７日間、より好ましくは１．５〜６日間、更に好ましくは１．８〜５日間、特に好ましくは２．０〜４．５日間養生を行う。以上の範囲であれば、高い圧縮強度及び高い流動性を十分に確保出来る。
【００２２】
二次養生工程は、好ましくは８０〜２００℃、より好ましくは８３〜１９０℃、更に好ましくは８５〜１８５℃、特に好ましくは９０〜１８０℃の水中または気中で、好ましくは５〜２１日間、より好ましくは５〜１９日間、更に好ましくは６〜１７日間、特に好ましくは７〜１５日間養生を行う。水中の場合、温水、気中の場合、蒸気養生装置、オートクレーブ、乾燥機などが使用出来る。以上の範囲であれば、高い圧縮強度及び高い流動性を十分に確保出来る。
【００２３】
本実施形態の高強度セメントモルタル硬化体の製造方法は、上記高強度セメントモルタル組成物を、１５〜２５℃の気中で１日間〜５日間養生を行う前養生工程と、２０〜６０℃の水中で１日間〜７日間養生を行う一次養生工程と、８０℃〜１００℃の水中で５日間〜２１日間養生を行う二次養生工程と、８０℃〜２００℃の気中で５日間〜２１日間養生を行う三次養生工程で行っても良い。
一次養生工程は、好ましくは２３〜５５℃、より好ましくは２５〜５０℃、更に好ましくは２８〜４８℃、特に好ましくは３０〜４５℃の水中で、好ましくは１〜７日間、より好ましくは１．５〜６日間、更に好ましくは１．８〜５日間、特に好ましくは２．０〜４．５日間養生を行う。以上の範囲であれば、高い圧縮強度及び高い流動性を十分に確保出来る。
【００２４】
二次養生工程は、好ましくは８０〜１００℃、より好ましくは８３〜９９℃、更に好ましくは８５〜９９℃、特に好ましくは９０〜９８℃の水中で、好ましくは５〜２１日間、より好ましくは５〜１９日間、更に好ましくは６〜１７日間、特に好ましくは７〜１５日間養生を行う。
三次養生工程は、好ましくは８０〜２００℃、より好ましくは８３〜１９０℃、更に好ましくは８５〜１８５℃、特に好ましくは９０〜１８０℃の気中で、好ましくは５〜２１日間、より好ましくは５〜１９日間、更に好ましくは６〜１７日間、特に好ましくは７〜１５日間養生を行う。
水中の場合、温水、気中の場合、蒸気養生装置、オートクレーブ、乾燥機などが使用出来る。三次養生工程では、水中よりも気中養生の方が、強度増進の観点からより好ましい。以上の範囲であれば、高い圧縮強度及び高い流動性を十分に確保出来る。
【実施例】
【００２５】
以下、実施例及び比較例を挙げて本発明の内容をより具体的に説明する。なお、本発明は下記実施例に限定されるものではない。
【００２６】
［使用材料の準備］
実施例及び比較例のモルタル組成物を作製するために、以下に示す材料を準備した。
【００２７】
（１）セメント：低熱ポルトランドセメント
使用したセメントの化学成分を、ＪＩＳ  Ｒ  ５２０２−２０１０「セメントの化学分析方法」にしたがい測定し、鉱物組成を下記のボーグ式により算出した。得られたセメントの鉱物組成を表１に示す。
【００２８】
Ｃ３Ｓ量＝（４．０７×ＣａＯ）−（７．６０×ＳｉＯ２）−（６．７２×Ａｌ２Ｏ３）−（１．４３×Ｆｅ２Ｏ３）−（２．８５×ＳＯ３）
Ｃ２Ｓ量＝（２．８７×ＳｉＯ２）−（０．７５４×Ｃ３Ｓ）
Ｃ３Ａ量＝（２．６５×Ａｌ２Ｏ３）−（１．６９×Ｆｅ２Ｏ３）
Ｃ４ＡＦ量＝３．０４×Ｆｅ２Ｏ３
【００２９】
【表１】
2018162213.tif 000002
【００３０】
（２）シリカフューム
シリカフュームの平均粒子径は、レーザー回折／散乱式粒子径分布測定装置（堀場製作所製、商品名「ＬＡ−９５０Ｖ２」）を用いて測定した粒子径分布より、粒子径−通過分積算％曲線を算出し、粒子径−通過分積算％曲線より通過分積算が５０体積％となる粒子径を求めた。試料分散媒は０．２％ヘキサメタリン酸ナトリウム水溶液を用い、測定前に出力６００Ｗのホモジナイザーにて１０分間分散処理した。粒度分布の演算はＭｉｅ散乱理論に従った。粒子屈折率は１．４５−０．００ｉ、溶媒屈折率は１．３３３とした。各粒度の通過分積算（体積％）を表２に示す。
【００３１】
【表２】
2018162213.tif 000003
【００３２】
（３）細骨材
（Ａ）砕砂（安山岩）：密度２．６２ｇ／ｃｍ３、粗粒率２．８０、吸水率２．５質量％
（Ｂ）フェロニッケルスラグ：絶乾密度３．１０g／ｃｍ３、粗粒率２．７５、吸水率０．３質量％、モース硬さ７．５
（Ｃ）珪砂：密度２．６２ｇ／ｃｍ３，粗粒率２．７９，吸水率１．１％
【００３３】
（４）減水剤：ポリカルボン酸系高性能減水剤（固形分濃度２５質量％）
（５）消泡剤：特殊非イオン配合型界面活性剤
（６）金属微紛末：カットスチールウール：日本スチールウール社製、直径２０〜３０μｍ、長さ０．１〜３ｍｍ、密度７．８５ｇ／ｃｍ３
（７）練混ぜ水（Ｗ）：上水道水
【００３４】
［高強度セメントモルタル組成物の作製］
高強度セメントモルタル組成物の作製を、表３の配合組成に基づき、以下の通りに行った。
【００３５】
【表３】
2018162213.tif 000004
【００３６】
セメント、シリカフューム、消泡剤をモルタルミキサに加え、減水剤を含む練混ぜ水をミキサ内に投入して１０分間撹拌し、モルタル組成物を作製した。なお、比較例２、実施例２および４では、金属微紛末を更に投入して、高強度セメントモルタル組成物を作製した。
【００３７】
［養生方法］
練り混ぜた高強度セメントモルタル組成物は、型枠に充填後、２０℃、湿度約７０％の気中で３日間養生後、脱型し、４０℃の水中で３日の一次養生の工程を実施した。その後、二次養生として、９８℃の温水中で７日間養生し、その後、７日間、９８℃の乾燥機で乾燥させた。これらの養生を行い、高強度セメントモルタル硬化体を作製した。
【００３８】
［高強度セメントモルタル組成物の評価］
（１）フレッシュ性状
（試験方法）
比較例１および実施例１〜６の配合で作製した高強度セメントモルタル組成物を用いて、フロー値を測定した。フロー値は、ＪＩＳ  Ｒ  ５２０１−１９９７「セメントの物理試験方法」に準じ、落下無しの条件で測定した。
【００３９】
（２）強度試験
ＪＩＳ  Ａ  １１３２−２００６「コンクリートの強度試験用供試体の作り方」に準じて５ｃｍ×１０ｃｍの円柱供試体を作製し、ＪＩＳ  Ａ  １１０８−２００６「コンクリートの圧縮強度試験方法」に準じて高強度セメントモルタル硬化体の圧縮強度試験を実施した。
【００４０】
（評価結果）
表４に、フロー値および圧縮強度試験結果を示す。
【００４１】
【表４】
2018162213.tif 000005
【００４２】
比較例１および比較例２で、砕砂を用いた場合には、二次養生期間１４日の時点で、２８９Ｎ／ｍｍ２および３０８Ｎ／ｍｍ２となった。
実施例１および実施例２のようにフェロニッケルスラグを用いることによって、７日強度が５０〜７０Ｎ／ｍｍ２程度、１４日強度が４０〜５０Ｎ／ｍｍ２程度増大し７日、１４日ともに３００Ｎ／ｍｍ２以上の高い圧縮強度が得られた。
実施例３および実施例４に示すように，カットスチールウールを用いることによってさらに圧縮強度は増大し、１４日で３５０Ｎ／ｍｍ２以上の圧縮強度が得られた。
比較例２と実施例５や，実施例４と実施例７のように，シリカフューム添加率を小さくすることで流動性が改善されることが分かった。また，このとき圧縮強度への影響は小さく，いずれの配合ｗも３００Ｎ／ｍｍ２以上の高い圧縮強度が得られた。
比較例３および比較例４のように，細骨材にフェロニッケルスラグ以外のものを用いると，二次養生後の圧縮強度が小さくなった。実施例５〜実施例７のように，フェロニッケルスラグを用いると，水結合材比を変えたり，骨材量を変えた場合でも二次養生時の圧縮強度が３００Ｎ／ｍｍ２以上と高い圧縮強度が得られた。
また、二次養生の水中養生後に三次養生の気中養生を施すと、非常に高い圧縮強度が得られた。セメントの養生は、一般的に水中で十分に水和させることが重要とされているが、ある程度水中養生した後は気中養生した方が良いことが示唆されている。シリカフュームを低水セメント比で使用したセメントモルタルでは、シリカフュームの水和を十分に行わせることが重要で、気中養生の場合、硬化体の微細な空隙への蒸気の浸透などが起こり易く水和が進行するような現象が起こっていると推察される。
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
セメントと、シリカフュームと、水と、フェロニッケルスラグと、減水剤と、消泡剤と、カットスチールウール及び／又は鉄粉とを含む高強度セメントモルタル組成物であって、
前記セメントは、Ｃ３Ｓを１０．０質量％〜４０．０質量％及びＣ２Ｓを４０．０質量％〜７０．０質量％含有し、
前記カットスチールウールは、直径が２０μｍ〜３０μｍ及び長さが０．１μｍ〜３．０ｍｍであり、
前記カットスチールウール及び／又は前記鉄粉を前記高強度セメントモルタル組成物に対して１．０体積％〜５．０体積％含み、
前記セメントと前記シリカフュームの合計量１００質量％中に、前記シリカフュームを５質量％〜３５質量％含み、
前記セメントと前記シリカフュームの合計量１００質量部に対して、減水剤を１．０質量部〜６．０質量部含み、
前記セメントと前記シリカフュームの合計量１００質量部に対して、消泡剤を０．０１質量部〜２．０質量部含むことを特徴とする高強度セメントモルタル組成物。
【請求項２】
前記フェロニッケルスラグのモース硬さが７．０〜８．５、絶乾密度が２．７〜４．０ｇ／ｃｍ３である、請求項１に記載の高強度セメントモルタル組成物。
【請求項３】
前記シリカフュームの平均粒子径が０．０５μｍ〜２．０μｍである、請求項１又は２に記載の高強度セメントモルタル組成物。
【請求項４】
前記セメントと前記シリカフュームの合計量１００質量部に対して、水を９質量部〜２０質量部含む、請求項１〜３の何れか１項に記載の高強度セメントモルタル組成物。
【請求項５】
前記減水剤は、リグニン系減水剤、ナフタレンスルホン酸系減水剤、アミノスルホン酸系減水剤、ポリカルボン酸系減水剤及び高性能ＡＥ減水剤からなる群より選択される１種以上の減水剤である、請求項１〜４の何れか１項に記載の高強度セメントモルタル組成物。
【請求項６】
請求項１〜５の何れか１項に記載の高強度セメントモルタル組成物を、１５〜２５℃の気中で１日間〜５日間養生を行う前養生工程と、２０〜６０℃の水中で１日間〜７日間養生を行う一次養生工程と、８０℃〜１００℃の水中で５日間〜２１日間養生を行う二次養生工程と、８０℃〜２００℃の気中で５日間〜２１日間養生を行う三次養生工程とを含む、高強度セメントモルタル硬化体の製造方法。
【手続補正２】
【補正対象書類名】明細書
【補正対象項目名】０００６
【補正方法】変更
【補正の内容】
【０００６】
本発明者らは、上記課題を解決すべく鋭意検討した結果、セメントと、シリカフュームと、フェロニッケルスラグを含む細骨材と、減水剤及び消泡剤と組み合わせ、さらに、カットスチールウール及び／又は鉄粉をモルタルに混入することによって、高強度化が実現できることを見出し、本発明に至った。
【手続補正３】
【補正対象書類名】明細書
【補正対象項目名】０００７
【補正方法】変更
【補正の内容】
【０００７】
すなわち、本発明は、セメントと、シリカフュームと、水と、細骨材と、減水剤と、消泡剤と、カットスチールウール及び／又は鉄粉とを含む高強度セメントモルタル組成物であって、セメントは、Ｃ３Ｓを１０．０質量％〜４０．０質量％及びＣ２Ｓを４０．０質量％〜７０．０質量％含有し、細骨材は、フェロニッケルスラグを含む高強度セメントモルタル組成物を提供する。このような高強度セメントモルタル組成物は、従来にない、非常に高い圧縮強度を発現することができる。
また、本発明は前記高強度セメントモルタル組成物を、１５〜２５℃の気中で１日間〜５日間養生を行う前養生工程と、２０〜６０℃の水中で１日間〜７日間養生を行う一次養生工程と、８０℃〜１００℃の水中で５日間〜２１日間養生を行う二次養生工程と、８０℃〜２００℃の気中で５〜２１日間養生を行う三次養生工程を含む、高強度セメントモルタル硬化体の製造方法を提供する。このような高強度セメントモルタル組成物の製造方法によれば、従来にない、非常に高い圧縮強度を有す高強度セメントモルタル組成物を製造することができる。
【手続補正４】
【補正対象書類名】明細書
【補正対象項目名】００１０
【補正方法】変更
【補正の内容】
【００１０】
（高強度セメントモルタル組成物）
本実施形態の高強度セメントモルタル組成物は、セメントと、シリカフュームと、水と、フェロニッケルスラグを含む細骨材と、減水剤と、消泡剤と、カットスチールウール及び／又は鉄粉とを含むものである。
【手続補正５】
【補正対象書類名】明細書
【補正対象項目名】００２０
【補正方法】変更
【補正の内容】
【００２０】
カットスチールウールとはスチールウールを短く切断したものを意味する。またスチールウールとは鉄の非常に細い線を綿状に固めた物で、研磨用のたわしとして使用されることがある。
カットスチールウールの形状は、直径が好ましくは５μｍ〜５００μｍ、より好ましくは１０μｍ〜４２０μｍ、更に好ましくは１５μｍ〜４００μｍ、特に好ましくは２０μｍ〜３８０μｍである。長さは好ましくは５μｍ〜５．０ｍｍ、より好ましくは２０μｍ〜４．０ｍｍ、更に好ましくは３０μｍ〜３．８ｍｍ、特に好ましくは５０μｍ〜３．５ｍｍである。以上の範囲であれば、高い圧縮強度及び高い流動性を十分に確保出来る。
【手続補正６】
【補正対象書類名】明細書
【補正対象項目名】００３３
【補正方法】変更
【補正の内容】
【００３３】
（４）減水剤：ポリカルボン酸系高性能減水剤（固形分濃度２５質量％）
（５）消泡剤：特殊非イオン配合型界面活性剤
（６）カットスチールウール：日本スチールウール社製、直径２０〜３０μｍ、長さ０．１〜３ｍｍ、密度７．８５ｇ／ｃｍ３
（７）練混ぜ水（Ｗ）：上水道水
【手続補正７】
【補正対象書類名】明細書
【補正対象項目名】００３５
【補正方法】変更
【補正の内容】
【００３５】
【表３】
2018162213.tif 000006
【手続補正８】
【補正対象書類名】明細書
【補正対象項目名】００３６
【補正方法】変更
【補正の内容】
【００３６】
セメント、シリカフューム、消泡剤をモルタルミキサに加え、減水剤を含む練混ぜ水をミキサ内に投入して１０分間撹拌し、モルタル組成物を作製した。なお、比較例２、実施例２および４では、カットスチールウールを更に投入して、高強度セメントモルタル組成物を作製した。
【手続補正９】
【補正対象書類名】明細書
【補正対象項目名】００４１
【補正方法】変更
【補正の内容】
【００４１】
【表４】
2018162213.tif 000007